(57)【要約】      （修正有）【課題】スライドファスナの止具がエレメント列に馴染んで一体化し、エレメントとともに高い意匠性を持つスライドファスナを提供する。【解決手段】左右一対のテープ部材１６の長手方向に沿って、対向する側の縁部１６ａに、交互にそれぞれ配置された一対のエレメント列１５を備える。エレメント列１５のエレメント１４は、テープ部材１６の表面１６ｃに配置される意匠部３４と、テープ部材１６の裏面に配置され隣り合うエレメント１４と噛合する噛合部を有する。一対のエレメント列１５には、噛合部を互いに噛合させるスライダ１８を備え、エレメント列１５の端部に、スライダ１８の摺動を止める止具４４，４６を有する。意匠部３４は、テープ部材１６の表面１６ｃ側から見て、テープ部材１６の長手方向と直交する幅方向に長軸を有する略長円形状である。止具４４，４６の表面側の意匠部４８は、エレメント１４の意匠部３４と同様の外観を有している。【選択図】図１
0003191897.tif 000002
【実用新案登録請求の範囲】
【請求項１】
左右一対のテープ部材（１６）と、前記テープ部材（１６）の長手方向に沿って前記テープ部材（１６）が対向する側の縁部（１６ａ）に交互にそれぞれ配置された複数のエレメント（１４）からなる一対のエレメント列（１５）とを備え、
前記エレメント（１４）は、合成樹脂製であり前記テープ部材（１６）に射出成形されて取り付けられ、前記テープ部材（１６）の表面（１６ｃ）に配置される意匠部（３４）と、前記テープ部材（１６）の裏面（１６ｄ）に配置され隣り合う前記エレメント（１４）と噛合する噛合部（３６）が設けられ、
前記一対のエレメント列（１５）には、通過により前記エレメント（１４）の前記噛合部（３６）を互いに噛合するスライダ（１８）が摺動可能に取り付けられ、
前記テープ部材（１６）の前記エレメント列（１５）の両端部に、前記スライダ（１８）の摺動を止める止具（４４，４６）が各々設けられ、
前記止具（４４，４６）は、合成樹脂製であり前記テープ部材（１６）に射出成形されて取り付けられ、前記止具（４４，４６）は、前記テープ部材（１６）の表面（１６ｃ）に配置される意匠部（４８，５４）と、前記テープ部材（１６）の裏面（１６ｄ）に配置される裏部（５０，５６）が設けられ、
前記意匠部（３４，４８，５４）は、前記テープ部材（１６）の表面（１６ｃ）側から見て、前記テープ部材（１６）の長手方向と直交する幅方向に長軸を有する略長円形状に形成され、
前記止具（４４，４６）の前記意匠部（４８，５４）と前記裏部（５０，５６）は、少なくとも一方が前記スライダ（１８）に当接して通過を止めるものであり、前記止具（４４，４６）の前記意匠部（４８，５４）は、前記エレメント（１４）の前記意匠部（３４）と同様の外観を有していることを特徴とするスライドファスナ。
【請求項２】
前記意匠部（３４、４８、５４）は、前記テープ部材（１６）の厚み方向の断面形状が、全体的に湾曲した略半球状に形成され、
左右一対の前記エレメント（１４）が噛合した状態で、複数個の前記エレメント（１４）は前記テープ部材（１６）の縁部（１６ａ）に沿って前記意匠部（３４，４８，５４）が一列に並べられて配置されている請求項１記載のスライドファスナ。
【請求項３】
前記止具（４４，４６）の前記意匠部（４８，５４）は、前記テープ部材（１６）の表面（１６ｃ）からの最大高さが前記エレメント（１４）の前記意匠部（３４）のそれよりも高く設けられ、前記止具（４４，４６）の前記裏部（５０，５６）は、前記テープ部材（１６）の裏面（１６ｄ）からの最大高さが前記エレメント（１４）の前記噛合部（３６）のそれよりも相対的に高く設けられ、前記スライダ（１８）が前記止具（４４，４６）に当接して通過を止められる時、前記止具（４４，４６）の前記裏部（５０，５６）に先に当接し、更に通過する方向に力を加えることにより前記意匠部（４８，５４）が前記スライダ（１８）側に傾いて当接し、前記スライダ（１８）の通過を止める請求項１記載のスライドファスナ。
【請求項４】
前記止具（４４、４６）のうち前記テープ部材（１６）の表面（１６ｃ）からの最大高さは、前記止具（４４、４６）のうち前記テープ部材（１６）の裏面（１６ｄ）からの最大高さよりも小さい請求項３記載のスライドファスナ。
【請求項５】
前記止具（４４）の前記裏部（５０）の下面には、前記テープ部材（１６）の裏面（１６ｄ）に対して略平行な平面部（５３）が設けられている請求項１記載のスライドファスナ。
【請求項６】
前記止具（４４、４６）のうち少なくとも一方は、一対のテープ部材の一方のテープ部材の側縁にのみ固着された上止具（４６）であって、前記上止具（４６）は他方のテープ部材の一端に設けられた上端のエレメントに向けて一方のテープ側縁から延設されており、
前記上止具（４６）のうち、前記最外端エレメントと対向する面には、前記テープ部材（１６）の厚み方向に平行な溝部（６０）が形成され、前記溝部（６０）の底部には、前記上止具（４６）を射出成形する際の金型のゲート部分のランナー痕（５８）が位置する請求項１乃至５のいずれか記載スライドファスナ。
【請求項７】
前記止具は、前記一対のエレメント列（１５）を互いに噛合させて一対のテープ部材（１６）の縁部（１６ａ）同士を隣接して閉じた状態で、一対のテープ部材（１６）の縁部（１６ａ）にまたがって射出成形されて取り付けられている下止具（４４）である請求項１乃至５のいずれか記載のスライドファスナ。
【考案の詳細な説明】
【技術分野】
【０００１】
この考案は、エレメントが噛合時にチェーン状に連結され、エレメント列の端部にはスライダの抜け落ちを防ぐ止具が設けられているスライドファスナに関する。
【背景技術】
【０００２】
従来、一対のエレメントがスライダにより噛合されるスライドファスナには、スライダの抜け落ちを防止し、エレメントの噛合状態を維持する止具が用いられている。例えば、特許文献１に開示されたスライドファスナは、スライドファスナのエレメント列の一端に、テープ部材に配置された下止と、エレメント列の他端に配置された一対の上止とを備え、下止または上止に装飾部品を取り付けて装飾を施したものである。また、特許文献２に開示されたスライドファスナは、スライドファスナのエレメント列の一端に、テープ部材に配置された止部と、止部に装着される装飾部材が設けられているものである。
【０００３】
また、スライドファスナにはいろいろな形状のものがあり、例えば特許文献３のスライドファスナは、噛合時にエレメントが１列に並んで外観がチェーン状となるものである。このスライドファスナのエレメントは、テープ部材の表側に配置される意匠部と、テープ部材の側縁側に位置し、隣り合うエレメントと噛合する噛合部とを有する。意匠部は、長円形状でテープ部材の厚み方向の断面形状は半球状に形成されている。そして、左右一対のエレメントが噛合した状態で、複数個のエレメントは、テープ部材の縁部に沿って同形状の長円形状で厚み方向に半球状の意匠部が一列にチェーン状に並んで位置する。
【先行技術文献】
【特許文献】
【０００４】
【特許文献１】再表２０１２／０４９７３６号公報
【特許文献２】再表２０１２／０４３０４７号公報
【特許文献３】再表２０１１／０３９８６８号公報
【考案の概要】
【考案が解決しようとする課題】
【０００５】
上記背景技術の場合、特許文献１と特許文献２に開示されたスライドファスナおよびその止具は、その止具に装飾を施して目立たせるようにしたものであり、エレメントとの外観上の相違が大きく一体感がなく、止具を目立たせたくない用途には適さないものである。また、特許文献３は、ファスナエレメントの形状に特徴があるが、止具に関しては開示していないものである。
【０００６】
この考案は、上記背景技術の問題点に鑑みてなされたものであり、止具がエレメントに似た形状に形成され、止具がエレメント列に馴染んで一体化し、エレメントとともに高い意匠性を持つスライドファスナを提供することを目的とする。
【課題を解決するための手段】
【０００７】
本考案は、左右一対のテープ部材と、前記テープ部材の長手方向に沿って前記テープ部材が対向する側の縁部に交互にそれぞれ配置された複数のエレメントからなる一対のエレメント列とを備え、前記エレメントは、合成樹脂製であり前記テープ部材に射出成形されて取り付けられ、前記テープ部材の表面に配置される意匠部と、前記テープ部材の裏面に配置され隣り合う前記エレメントと噛合する噛合部とが設けられ、前記一対のエレメント列には、通過により前記エレメントの前記噛合部を互いに噛合するスライダが摺動可能に取り付けられ、前記テープ部材の前記エレメント列の端部に、前記スライダの摺動を止める止具が設けられ、前記止具も、合成樹脂製であり前記テープ部材に射出成形されて取り付けられ、前記止具は、前記テープ部材の表面に配置される意匠部と、前記テープ部材の裏面に配置される裏部が設けられ、前記意匠部は、前記テープ部材の表面側から見て、前記テープ部材の長手方向と直交する幅方向に長軸を有する略長円形状に形成され、前記止具の前記意匠部と前記裏部は、少なくとも一方が前記スライダに当接して通過を止めるものであり、前記止具の前記意匠部は、前記エレメントの前記意匠部と同様の外観を有しているスライドファスナである。
【０００８】
前記意匠部は、前記テープ部材の厚み方向の断面形状が、全体的に湾曲した略半球状に形成されている。これにより、左右一対の前記エレメントが噛合した状態で、複数個の前記エレメントは前記テープ部材の縁部に沿って前記意匠部が一列に並べられて配置される。
【０００９】
前記止具の前記意匠部は、前記テープ部材の表面からの最大高さが前記エレメントの前記意匠部のそれよりも高く設けられ、前記止具の前記裏部は、前記テープ部材の裏面からの最大高さが前記エレメントの前記噛合部のそれよりも相対的に高く設けられ、前記スライダが前記止具に当接して通過を止められる時、前記止具の前記裏部に先に当接し、更に通過する方向に力を加えると前記止具が前記テープ部材付近を中心として回転し前記意匠部が前記スライダ側に傾いて当接し、前記スライダの通過を止めるものである。
【００１０】
前記止具のうち前記テープ部材の表面からの最大高さは、前記止具のうち前記テープ部材の裏面からの最大高さよりも小さい。前記止具の前記裏部の下面には、前記テープ部材の裏面に対して略平行な平面部が設けられている。
【００１１】
前記止具のうち少なくとも一方は、一対のテープ部材の一方のテープ部材の側縁にのみ固着された上止具であって、前記上止具は他方のテープ部材の一端に設けられた上端のエレメントに向けて一方のテープ側縁から延設されており、前記上止具のうち、前記最外端エレメントと対向する面には、前記テープ部材の厚み方向に平行な溝部が形成され、前記溝部の底部には、前記上止具を射出成形する際の金型のゲート部分のランナー痕が位置するものである
【００１２】
前記止具は、前記一対のエレメント列を互いに噛合させて一対のテープ部材の縁部同士を隣接して閉じた状態で、一対のテープ部材の縁部にまたがって射出成形されて取り付けられている下止具である。
【考案の効果】
【００１３】
本考案のスライドファスナは、スライダを止める止具がエレメントに似た形状に形成され、一対のエレメント列が噛合した状態で、一列にチェーン状に並べられて配置された延長線上に止具が位置し、止具がエレメント列に馴染んで一体化しエレメント列の特徴ある外観を生かし高い意匠性を持つことができる。さらに、止具は、表から見えない裏部がエレメントの裏側の部分よりも厚く形成され、スライダが確実に当接しスライダの抜け落ちを防ぐことができ、表側の意匠部は、エレメントよりわずかに高いだけの形状であり、違和感がない。
【図面の簡単な説明】
【００１４】
【図１】この考案の一実施形態のスライドファスナの正面図である。
【図２】この実施形態のスライドファスナの一対のエレメント列を途中まで開いた状態を示す正面図（ａ）と背面図（ｂ）である。
【図３】この実施形態のスライドファスナのエレメントの斜視図である。
【図４】この実施形態のスライドファスナのエレメントの斜視図である。
【図５】この実施形態のスライドファスナの横断面図である。
【図６】この実施形態のスライドファスナの縦断面図である。
【図７】この実施形態のスライドファスナの部分破断横断面図（ａ）と、右側面図（ｂ）である。
【図８】この実施形態のスライドファスナの縦断面図である。
【考案を実施するための形態】
【００１５】
以下、この考案の実施形態について図面に基づいて説明する。図１〜図８はこの考案の一実施形態を示すもので、この実施形態のスライドファスナ１０は、例えば衣服やカバン等の開口部を開閉自在に閉じるものである。特に、繰り返しスライドファスナ１０を開閉する場所に使用される。
【００１６】
スライドファスナ１０は、複数のエレメント１４から成るエレメント列１５が、テープ部材１６の長手方向に沿う一方の縁部１６ａに配置されたファスナストリンガを有し、各ファスナストリンガのエレメント列１５がスライダ１８により互いに噛合すると、各エレメント１４がチェーン状に一列に連結されるものである。
【００１７】
なおここで、本考案で説明する上下方向とは、スライダ１８が摺動する方向であって、スライダ１８によってエレメント列１５が閉じる方向を上、開く方向を下とし、図１においては紙面の上下方向である。また、本考案で説明する幅（左右）方向とは、長手方向と交差する方向、かつ一対のテープ部材１６からなるファスナテープの周面（表面あるいは裏面）に沿った方向であって、図１においては紙面左右方向である。また、本考案で説明する表裏方向とは、長手方向と幅方向いずれにも交差する方向であって、テープ部材１６の表面１６ｃ側を表方向、裏面１６ｄ側を裏方向とし、図１においては紙面上表裏方向である。なお、表裏方向は、エレメント１４の厚さ方向とも一致する。
【００１８】
ここで、スライドファスナ１０のエレメント１４について、図３、図４に基づいて説明する。エレメント１４は、たとえば、ポリアミド、ポリアセタール、ポリプロピレン、ポリブチレンテレフタレート等の合成樹脂を用いて、テープ部材１６の縁部１６ａに射出成形されている。エレメント１４は、テープ部材１６の表面１６ｃ側に配置される意匠部３４と、テープ部材１６の側縁部から裏面側に配置され、隣り合うエレメント１４と噛合する噛合部３６が設けられており、意匠部３４、噛合部３６ともにテープ部材１６の側縁部から相手側のテープ部材１６に向けて膨出するように延設部３７が設けられている。意匠部３４と噛合部３６の間には、テープ部材１６の縁部１６ａに射出成形されて形成されたテープ固定溝３８が設けられている。意匠部３４と噛合部３６の間の、テープ固定溝３８と反対側、すなわち延設部３７には、相手側のテープ部材１６の縁部１６ａを収納する断面略Ｕ字状のテープ収納溝４０がテープ部材１６の長手方向に沿って形成されている。
【００１９】
意匠部３４は、テープ部材１６の表面１６ｃ側から見て、テープ部材１６の長手方向と直交する幅方向に細い略長円形状に形成され、テープ部材１６の長手方向及び長手方向と直交する幅方向に対称な形状である。意匠部３４の、テープ部材１６の厚み方向の断面形状は、全体的に湾曲した略半球状に形成されている。これにより、左右一対のエレメント１４が噛合した時、複数個のエレメント１４はテープ部材１６の縁部１６ａに沿って同形状の意匠部３４が一列にチェーン状に並べられて配置される。なお、ここで言う左右一対のエレメント１４が一列に並べられた時とは、全てのエレメント１４の幅方向の側縁が、長手方向に一直線となるように配列されている状態である。
【００２０】
噛合部３６は、意匠部３４の表面からの厚さ（高さ）よりも薄い平坦な板状に形成される。噛合部３６は、テープ部材１６の縁部１６ａに取り付けられるテープ固定溝３８側である基部３６ａと、基部３６ａから相手側のテープ部材１６に向けて延設されテープ収納溝４０が形成される噛合頭部３６ｂと、基部３６ａと噛合頭部３６ｂの間に形成され長手方向における間隔が基部３６ａと噛合頭部３６ｂの長手方向における間隔よりも狭い首部３６ｃが設けられている。噛合頭部３６ｂは意匠部３４の略長円形状を半分に分割した形状であり、首部３６ｃの、噛合頭部３６ｂ側は一対の係合部４２となり、係合部４２は、テープ収納溝４０の挿通方向に対して略平行に形成された平面である。係合部４２の先端部分とそれに連続する噛合頭部３６ｂの一部は、意匠部３４の周縁部からわずかに突出されている。
【００２１】
スライドファスナ１０の、エレメント列１５の上下方向の端部には、図１、図２に示すように、スライダ１８の摺動を止めてスライドファスナ１０をエレメント列１５から外れないように規制する止具である下止具４４と上止具４６が設けられている。
【００２２】
スライダは、上翼板２０と下翼板２２と、上翼板２０と下翼板２２とを連結する図示しない連結柱を備える。また上翼板２０と下翼板２２の左右側縁には一対のフランジが互いの方向に向けて突出しており、上翼板２０と下翼板２２の各フランジ間にはテーブ部材１６を挿通可能な隙間を備えている。連結柱は、上下翼板２０、２２のテープ長手方向上端を連結しており、上翼板２０と下翼板２２との間に略Ｙ字状のエレメント案内路が形成されている。
【００２３】
また上翼板２０には、引手２１が備えつけられており、この引手２１を操作することにより、エレメント案内通路を通る隣合うエレメント１４同士を噛合、噛合解除することができる。なお、各エレメント１４は、図６に示すとおり、意匠部３４が上翼板２０側、噛合部３６が下翼板２２側となるように挿通されている。
【００２４】
下止具４４は、エレメント列１５の下側の端部に、一番下のエレメント１４ａとはわずかな間隔を開けて取り付けられ、一対のエレメント列１５を互いに噛合させた状態で、一対のテープ部材１６の縁部１６ａ同士を閉じた状態で固定されており、一般的には下止具といわれる。下止具４４は、エレメント１４と同じ材料の合成樹脂を使用して射出成形により形成され、図５、図６に示すようにテープ部材１６の表面１６ｃに配置される意匠部４８と、テープ部材１６の裏面１６ｄに配置される裏部５０が設けられている。意匠部４８と裏部５０の間には、テープ部材１６の縁部１６ａに射出成形される際にテープ固定溝５２が左右に一対、テープ部材１６の長手方向に沿って貫通して形成されている。
【００２５】
下止具４４の意匠部４８は、テープ部材１６の表面１６ｃから見て、エレメント１４の意匠部３４とほぼ同じ形状で、テープ部材１６の長手方向と直交する幅方向に細い略長円形状に形成され、テープ部材１６の長手方向と直交する幅方向に対称な形状である。これにより、左右一対のエレメント１４が噛合し、複数個のエレメント１４の意匠部３４が一列にチェーン状に並べられて配置された延長線上に位置し、下止具４４の意匠部４８も意匠部３４と同形状であるためエレメント列１５に馴染んで一体化する。
【００２６】
下止具４４の幅方向の最大寸法はエレメント１４の幅方向の最大寸法よりもわずかに大きい。しかし、下止具４４の幅方向中心軸は、一列に並んだエレメント列１５の幅方向中心軸と同一軸をとるために、エレメント列１５に馴染んで一体化する。
【００２７】
意匠部４８のテープ部材１６の厚み方向の断面形状は、エレメント１４の意匠部３４と同様に、全体的に湾曲した略半球状に形成され、幅方向の中心部分におけるテープ部材１６の表面からのエレメント１４の高さが、最大高さとなるように設定されている。下止具４４の裏部５０は、意匠部４８と同じ略長円形状であり、湾曲している略半球状の幅方向中心部分は、テープ部材１６の裏面からのエレメント１４の高さが最大高さとなるように設定されており、裏部の下面は、テープ部材１６の裏面１６ｄに対して平行な平面部５３が設けられている。
【００２８】
下止具４４の、テープ部材１６表面１６ｃから意匠部４８の一番高いところまでの長さａ（最大高さ）は、図６に示すように、テープ部材１６表面１６ｃからスライダ１８の上翼板２０側の内側面１８ａまでの長さｃよりもΔａ長くなるように設けられている。下止具４４の、テープ部材１６裏面１６ｄから裏部５０の一番高いところつまり平面部５３までの長さｂ（最大高さ）は、テープ部材１６裏面１６ｄからスライダ１８の下翼板２２側の内側面１８ｂまでの長さｄよりもΔｂ長くなるように設けられている。なおΔｂとΔａの関係は、Δｂ＞Δａとなっている。
【００２９】
上止具４６は、図１，図２に示すように、テープ部材１６の一方のエレメント列１５の上側の端部に取り付けられたもので、一対のエレメント列１５のうち上から２番目となるエレメント１４ｂを有するテープ部材１６に設けられている。すなわち、上止具４６は、一方のテープ部材１６の側縁にのみ固着され、上止具４６は他方のテープ部材の上端にあるエレメント１４に向けて一方のテープ部材１６の側縁から延設されている。  
【００３０】
上止具４６は、上から２番目、すなわち上止具４６が取り付けられた側のテープ部材１６の上端となるエレメント１４ｂとはわずかな間隔を開けて取り付けられている。そして、エレメント列１５を互いに噛合させてエレメント列１５の上端部付近にスライダ１８が位置し、スライダ１８の上端部から噛合されないエレメント１４ｂ，１４ｃが見えた状態で、一番上端に位置するエレメント１４ｃと同じ高さに並ぶものである。
【００３１】
上止具４６は、エレメント１４と同じ材料の合成樹脂を使用して射出成形により形成され、図７、図８に示すようにテープ部材１６の表面１６ｃに配置される意匠部５４と、テープ部材１６の裏面１６ｄに配置される裏部５６が設けられている。意匠部５４と裏部５６の間には、テープ部材１６の縁部１６ａに射出成形される際にテープ固定溝５８が、テープ部材１６の長手方向に沿って貫通して形成されている。
【００３２】
上止具４６の意匠部５４は、テープ部材１６の表面１６ｃから見て、エレメント１４の意匠部３４とほぼ同形状で、テープ部材１６の長手方向と直交する幅方向に細い略長円形状に形成され、テープ部材１６の長手方向及び長手方向と直交する幅方向に対称な形状である。これにより、左右一対のエレメント１４が噛合して上端部にスライダ１８が来たとき、スライダ１８の上端部からエレメント１４ｃと止具４６が同じ高さに左右に位置し、エレメント列１５に馴染んで一体化する。左右一対のエレメント１４が開かれて図２に示す状態でも、止具４６はエレメント列１５のエレメント１４と同じに見えて、違和感がなくすっきりする。
【００３３】
意匠部５４のテープ部材１６の厚み方向の断面形状は、エレメント１４の意匠部３４と同様に、全体的に湾曲した略半球状に形成される。上止具４６の裏部５６も、同様に全体的に湾曲した略半球状に形成される。意匠部５４の、テープ部材１６表面１６ｃから意匠部５４の一番高いところまでの長さｅ（最大高さ）は、図８に示すように、テープ部材１６表面１６ｃからスライダ１８の上翼板２０側の内側面１８ａまでの長さｇよりもΔｅ長くなるように設けられている。上止具４６の裏部５６の、テープ部材１６裏面１６ｄから裏部５６の一番高いところまでの長さｈ（最大高さ）は、テープ部材１６裏面１６ｄからスライダ１８の下翼板２２の内側面１８ｂまでの長さｈ（最大高さ）よりもΔｆ長くなるように設けられている。なおΔｅとΔｆの関係は、Δｆ＞Δｅとなっている。
【００３４】
上止具４６の、テープ部材１６が取り付けられた側面と反対側の側面、すなわち一対のエレメト列１５のうち、最も上端のエレメントと対向する面には、球面である側面の一番突出した部分に、テープ部材１６の厚み方向に平行な溝部６０が形成されている。溝部６０の底部には、上止具４６を射出成形する際の金型のゲート部分のランナー痕がある。
ランナー痕は、金型のランナーを除去した部分であり、溝部６０の底面に対して凹部あるいは、凸部５８となっている。ランナー痕の凸部５８の高さは溝部６０の深さよりも低く、溝部６０内に収容される。このような構成とすることで、ランナー痕が人の肌や衣服に引っかかる虞が少ないため、人の肌を傷つけることがなく、また、衣服を引っ掛けてしまうことを防止する。
【００３５】
次に、スライドファスナ１０の噛合方法について図１に基づいて説明する。スライドファスナ１０は、一対のテープ部材１６の縁部１６ａに各エレメント１４同士が１個分の間隔を各々あけて複数個が配置され、一対のテープ部材１６ではエレメント１４が互い違いに対向している。各エレメント１４は、他方のテープ部材１６に向かってテープ収納溝４０が開口し、反対側に係合部４２が位置している。そして、一対のテープ部材１６をスライダ１８により互いに斜めにしながら近づけると、テープ収納溝４０に他方のテープ部材１６の縁部１６ａが嵌合され、係合部４２に他方のテープ部材１６のエレメント１４の係合部４２が対面して重なるように位置する。そして、スライダ１８が通過して一対のテープ部材１６が互いに平行になり、エレメント１４の係合部４２同士が平行に当接して、噛合状態となる。噛合状態では、テープ部材１６の表面１６ｃから見た時、エレメント１４の意匠部３４がわずかな隙間を有してチェーン状に連結されている。連続する意匠部３４同士は、わずかな隙間を有して離間し、また意匠部３４が略長円形状に形成されているため、スライドファスナ１０が噛合した状態でいずれかの方向に湾曲させても、隣り合う意匠部３４同士が干渉することなく、自由に湾曲し、柔軟性が高いものとなる。噛合部３６及び収納溝４０は平坦に形成され、また噛合頭部３６ｂは意匠部３４と同様の略長円形状に形成されるため、互いに干渉せず、円滑に湾曲する。
【００３６】
スライドファスナ１０は、各エレメント１４が噛合された状態において、一方のテープ部材１６側のエレメント列１５の長手方向中心線が、他方のテープ部材１６側のエレメント列１５の長手方向中心線と一致する。つまり、この実施形態のように意匠部３４が左右対称な形状である場合、スライドファスナ１０のエレメント１４が噛合されると、一方のテープ部材１６の意匠部３４と他方のテープ部材１６の意匠部３４とが幅方向において同位置となるため、エレメント列１５が１本のライン上に配置されたようになる。下止具４４は、１本のライン上に配置されたエレメント列１５の下端部に連続して位置し、違和感がない。上止具４６は、一方のエレメント列１５の上端部に連続して位置し、違和感がない。スライダ１８を下方にスライドさせてスライドファスナ１０を開くときは、エレメント列１５の下端部で、スライダ１８の下翼板２２が下止具４４の裏部５０に当接して止まり、抜け落ちることがない。スライダ１８が裏部５０に当接してからさらに下方へ向かって力を加えると、下止具４４の裏部５０が押されてテープ部材１６付近を中心として回転し意匠部４８がスライダ１８側に傾いて当接し、スライダ１８の上翼板２０が下止具４４の意匠部４８にも当接して確実に止まる。
【００３７】
また、スライドファスナ１０は、各エレメント１４が噛合された状態で、スライダ１８が上端部付近に位置し、スライダ１８から一番上のエレメント１４ｃが見えるが、このエレメント１４ｃと対称な位置に上止具４６が見えて、違和感がない。スライダ１８を上方にスライドさせるときは、エレメント列１５の上端部で、スライダ１８の下翼板２２が上止具４６の裏部５６に当接して止まり、抜け落ちることがない。スライダ１８が裏部５６に当接してからさらに上方へ向かって力を加えると、上止具４６の裏部５６が押されてテープ部材１６付近を中心として回転し、スライダ１８の上翼板２０が上止具４６の意匠部５４にも当接して確実に止まる。
【００３８】
この実施形態のスライドファスナ１０によれば、下止具４４と上止具４６がエレメント列１５の端部に各々取り付けられ、下止具４４と上止具４６がスライダ１８の動きを止めてスライドファスナ１０からスライダ１８が抜け落ちることを確実に防ぎ、エレメント１４の噛合状態を確実に維持することができる。下止具４４と上止具４６は、デザイン性があり、且つ球形状であるため鋭利な部分がなく、肌に当たっても痛くない。しかも、下止具４４と上止具４６はテープ部材１６に直接射出成形され、簡単で確実に強い強度で取り付けることができる。
【００３９】
下止具４４と上止具４６は、意匠部４８、５４がエレメント１４の意匠部３４と似た形状に設けられ、エレメント列１５に並べられた時にエレメント１４に見えて、違和感がなく、外観が良好となる。下止具４４と上止具４６の、テープ部材１６表面１６ｃから見えない裏部５０，５６が、エレメント１４の噛合部３６よりテープ部材１６の厚み方向に長いため、確実にスライダ１８に当接するが、テープ部材１６の表面１６ｃから見た状態ではエレメント１４と同じに見え、下止具４４と上止具４６はエレメント１４よりわずかに高い形状であり、違和感がない。また、下止具４４は一対のエレメント列１５が噛合したとき一列にチェーン状に並べられて配置された延長線上に位置し、エレメント列１５に馴染んで一体化しエレメント列１５の特徴ある外観を生かし高い意匠性を持つことができる。上止具４６は、左右一対のエレメント１４が噛合して上端部にスライダ１８が来たとき、スライダ１８の上端部からエレメント１４ｃと同じ高さに位置し、エレメント列１５に馴染んで一体化し、エレメント列１５のエレメント１４と同じに見えて、違和感がなくすっきりする。
【００４０】
その他この実施形態のスライドファスナ１０は、スライダ１８は、下止具４４と上止具４６の裏部５０，５６に当接して止まるが、スライダ１８を進める方向に更に強い力がかかると下止具４４と上止具４６が傾いて意匠部４８，５４がスライダ１８に当接して確実に止めることができる。
【００４１】
下止具４４の裏部５０には平面部５３が設けられ、平面部５３により裏部５０の高さが少し低くなり、スライドファスナ１０を取り付けた衣服等を着用するときに裏部５０が身体に当接しても痛くないように工夫されている。
【００４２】
なお、本考案のスライドファスナは、上記実施の形態に限定されるものではなく、各部材の形状や数等、適宜変更可能である。例えば、１本のスライドファスナのうち、下端部にこの考案の上下の止具が設けられ上端部に異なる止具が設けられたものでもよい。また、上端部にこの考案の止具が設けられ下端部に異なる止具が設けられたものでも良い。スライドファスナのエレメントの形状は適宜変更可能であり、止具の意匠部、エレメントの形状に合わせて適宜変更するものである。
【符号の説明】
【００４３】
１０  スライドファスナ
１４  エレメント
１６  テープ部材
１８  スライダ
３４，４８，５４  意匠部
３６  噛合部
４２  係合部
４４，下止具
４６  上止具
５０，５６  裏部
５３  平面部
５８  凹凸部
６０  溝部
【図１】
0003191897.tif 000003
【図２】
0003191897.tif 000004
【図３】
0003191897.tif 000005
【図４】
0003191897.tif 000006
【図５】
0003191897.tif 000007
【図６】
0003191897.tif 000008
【図７】
0003191897.tif 000009
【図８】
0003191897.tif 000010